(57)【要約】【課題】使用者からの表示部の視認性を良好にした電気掃除機用延長管を提供する。【解決手段】一端を床ノズルと着脱自在に接続される接続体８と、接続体８の略円筒部の中心軸と自身の中心軸とが略同一となるように接続体８の他端にその一端を結合される筒体６とを備え、接続体８と筒体６との結合部分における筒体６の外径を接続体８の略円筒部の外径よりも径小にして前記結合部分の前記中心軸と略直交する面に中空円板状の壁部を形成し、信号線からの情報によって発光する発光素子１６を有する表示基板（電子回路基板）１５を接続体８の側面に配置し、中空円板状の壁部から筒体６に向かって、筒体６の外周を取り巻くように、レンズ体（表示部）１９を略リング状に構成したもので、レンズ体の視認性が良好な電気掃除機用延長管を提供できる。【選択図】図３
2010172643.tif 000002
【特許請求の範囲】
【請求項１】
略円筒部を有し一端を床ノズルと着脱自在に接続される接続体と、前記接続体の略円筒部の中心軸と自身の中心軸とが略同一となるように前記接続体の他端にその一端を結合される筒体とを備え、前記接続体と前記筒体との結合部分における前記筒体の外径を前記接続体の略円筒部の外径よりも径小にして前記結合部分の前記中心軸と略直交する面に中空円板状の壁部を形成し、下流側の電気掃除機本体からの信号線を、前記筒体の一側面に配設し、さらに前記信号線に電気接続されて前記信号線からの情報によって発光する発光素子を有する電子回路基板を前記接続体の側面に配置し、前記中空円板状の壁部から前記筒体に向かって、前記筒体の外周を取り巻くように、表示部を、略リング状に構成した電気掃除機用延長管。
【請求項２】
信号線からの情報を、床面等から床ノズルによって吸引され、筒体内、接続体内を通過して、下流側の電気掃除機本体に流れる塵埃の有無あるいは塵埃量の多少に関するものとした請求項１記載の電気掃除機用延長管。
【請求項３】
筒体を、内管と、前記内管の表面を長手方向に摺動自在に設けられた外管とで構成し、前記内管を接続体に結合すると共に、内管と外管を摺動して最短の長さに伸縮したとき、内管との結合部を有する接続体の端面と、外管の接続体側端面とが、中心軸線方向において隙間を有するようにした請求項１または２記載の電気掃除機用延長管。
【請求項４】
表示部は、接続体と筒体の結合部分である中空円板状の壁部から下流側の筒体の中心軸方向に向けて一定の幅を有するように、前記筒体の外周に沿って設けられた略馬蹄形レンズ体を有し、前記馬蹄形のレンズ体の両端部と、接続体の側面に配置された電子回路基板に取り付けられた発光素子とが対向するようにし、前記レンズ体の両端部から前記発光素子の光を投光して、前記表示部を光らせるようにした請求項１〜３のいずれか１項に記載の電気掃除機用延長管。
【請求項５】
発光素子を有する電子回路基板を、接続体の下面に配設した請求項１〜４のいずれか１項記載の電気掃除機用延長管。
【請求項６】
塵埃を集塵する集塵室と、吸引風を発生させる電動送風機を有する電気掃除機本体を備え、前記集塵室に請求項１〜５のいずれか１項に記載の電気掃除機用延長管を連通させた電気掃除機。
【発明の詳細な説明】
【技術分野】
【０００１】
本発明は信号線からの情報を表示する表示部を有した電気掃除機用延長管およびこれを用いた電気掃除機に関するものである。
【背景技術】
【０００２】
従来のこの種の電気掃除機用延長管としては、床ノズル接続部近傍に表示部を備えたものがある（例えば、特許文献１参照）。
【特許文献１】特開２０００−３５４５７５号公報
【発明の開示】
【発明が解決しようとする課題】
【０００３】
しかしながら、上記のような電気掃除機の構成では、表示部の使用者への視認性を良好にするために上面側に突出させて表示部を形成しており、家具の下、例えばソファーやベッドの下に床ノズルを入れて操作する際に、前記突出した表示部が当たって床ノズル操作をし難くして、使い勝手の悪い電気掃除機用延長管となっていた。
【０００４】
本発明は上記従来の課題を解決するものであって、一端を床ノズルと着脱自在に接続され他端を筒体と結合される接続体の筒体側端面に径小となる段部を形成して、ホ−スの先端パイプ側から配設した信号線と電気接続され、前記信号線からの情報を表示する表示部を、前記接続体の筒体側端面から筒体へ径小となる段部に構成することによって、使用者からの表示部の視認性を良好にするとともに、家具の下等の掃除作業の際に、家具下の入り口角に表示部が引っかかったりすることなく、床ノズルの操作性を良好にした電気掃除機用延長管ならびにこれを用いた電気掃除機を提供することを目的とする。
【課題を解決するための手段】
【０００５】
上記従来の課題を解決するために、本発明の電気掃除機用延長管は、略円筒部を有し一端を床ノズルと着脱自在に接続される接続体と、前記接続体の略円筒部の中心軸と自身の中心軸とが略同一となるように前記接続体の他端にその一端を結合される筒体とを備え、前記接続体と前記筒体との結合部分における前記筒体の外径を前記接続体の略円筒部の外径よりも径小にして前記結合部分の前記中心軸と略直交する面に中空円板状の壁部を形成し、下流側の電気掃除機本体からの信号線を、前記筒体の一側面に配設し、さらに前記信号線に電気接続されて前記信号線からの情報によって発光する発光素子を有する電子回路基板を前記接続体の側面に配置し、前記中空円板状の壁部に、前記筒体の吸気下流側から使用者が前記発光素子の発光を視認できる表示部を構成するものである。
【０００６】
上記の構成より、床ノズルと接続する電気掃除機用延長管の接続体の端部で中空円板状の壁部から前記筒体に向かって、筒体の外周を取り巻くように、表示部が、略リング状に設けられているため、表示部は常に床ノズル近傍に位置し、床面の汚れ具合と表示部を同時に見ることができると共に、略リング状で見易くなり、視認性も向上するものである。さらに表示部は、床ノズルと接続される接続体の略円筒部より外側に飛び出すことがないため、家具の下等の掃除作業の際に、家具下の入り口角に表示部が引っかかったりすることもなくなり、床ノズルの操作性も良好にした使い勝手が優れた電気掃除機用延長管ならびにこれを用いた電気掃除機の提供ができる。
【発明の効果】
【０００７】
本発明の電気掃除機用延長管ならびにこれを用いた電気掃除機は、掃除作業において床面の汚れ具合と表示部を同時に見ることができ、視認性が良好であるとともに、さらに家具の下等の掃除作業の際に、家具下の入り口角に表示部が引っかかったりすることなく、床ノズルの操作性を良好にすることを目的としている。
【発明を実施するための最良の形態】
【０００８】
第１の発明は、略円筒部を有し一端を床ノズルと着脱自在に接続される接続体と、前記接続体の略円筒部の中心軸と自身の中心軸とが略同一となるように前記接続体の他端にその一端を結合される筒体とを備え、前記接続体と前記筒体との結合部分における前記筒体の外径を前記接続体の略円筒部の外径よりも径小にして前記結合部分の前記中心軸と略直交する面に中空円板状の壁部を形成し、下流側の電気掃除機本体からの信号線を、前記筒体の一側面に配設し、さらに前記信号線に電気接続されて前記信号線からの情報によって発光する発光素子を有する電子回路基板を前記接続体の側面に配置し、前記中空円板状の壁部から前記筒体に向かって、前記筒体の外周を取り巻くように、表示部を、略リング状に構成したことにより、表示部が床ノズルと接続する延長管の接続体近傍に構成しているため、表示部は常に床ノズル近傍に位置することとなり、床面の汚れ具合と表示部を同時に見ることができ、視認性が良好であるとともに、さらに前記接続体からホースの先端パイプ側である接続体より径小に形成した延長管の筒体に向けた段部に表示部を略リング状に設けることによって、家具の下等の掃除作業の際に、家具下の入り口角に表示部が引っかかったりすることがなく、床ノズルの操作性を良好にすることができるものである。
【０００９】
第２の発明は、第１の発明の信号線からの情報を、床面等から床ノズルによって吸引され、筒体内、接続体内を通過して、下流側の電気掃除機本体に流れる塵埃の有無に関するものとしたもので、掃除作業において床面の汚れ具合と、表示部からの塵埃の情報とを、同時に確認でき、床面に存在する塵埃を、より精度良く把握できるものである。
【００１０】
第３の発明は、第１または第２の発明の筒体を、内管と、前記内管の表面を長手方向に摺動自在に設けられた外管とで構成し、前記内管を接続体に結合すると共に、内管と外管を摺動して最短の長さに伸縮したとき、内管との結合部を有する接続体の端面と、外管の接続体側端面とが、中心軸線方向において隙間を有するようにしたもので、接続体の外径と筒体を構成する外管の外径とを略同一にすることで、家具の下等の掃除作業の際に、家具下の入り口角に表示部が引っかかったりすることなくなるとともに、床ノズルの操作性を良好使用時に延長管の長さを調整機構により任意に固定しても表示部が床ノズルと接続する延長管の接続機構配設側に構成しているため、表示部は常に床ノズル近傍に位置することとなり、床面の汚れ具合と表示部を同時に見ることができ、また筒体を構成する内管と外管を最短の長さに伸縮したときでも、表示部が隠れることもなくなって視認性がさらに向上し、掃除の作業性、使用性の向上を図ることができる。
【００１１】
第４の発明は、第１〜第３のいずれか１つの発明の表示部は、接続体と筒体の結合部分である中空円板状の壁部から下流側の筒体の中心軸方向に向けて一定の幅を有するように、前記筒体の外周に沿って設けられた略馬蹄形レンズ体を有し、前記馬蹄形のレンズ体の両端部と、接続体の側面に配置された電子回路基板に取り付けられた発光素子とが対向するようにし、前記レンズ体の両端部から前記発光素子の光を投光して、前記表示部を光らせるようにしたもので、表示部の範囲が内管の外周に沿って広いため、視認性が向上し、表示部の表示情報が認識しやすく、使用性を向上することができる。
【００１２】
第５の発明は、第１〜第４のいずれか１つの発明の発光素子を有する電子回路基板を、接続体の下面に配設したもので、表示部が内管の外周に沿い、かつ下面の電子回路基板を収納している部位の左右から上面にかけて位置することにより、通常の床面を掃除操作している場合はもとより、ベッドの下などの特に上下に狭い場所の掃除の場合は、延長管を左右に倒した状態で前記狭い場所の奥のほうへ床ノズルを操作することが多く、前記のように、延長管を左右に倒した状態でも表示部の視認性を向上させ、使用性を良好にすることができる。
【００１３】
第６の発明は、塵埃を集塵する集塵室と、吸引風を発生させる電動送風機を有する電気掃除機本体を備え、前記集塵室に第１〜第５のいずれか１つの発明の電気掃除機用延長管を連通させた電気掃除機としたもので、使用勝手の良い電気掃除機を提供できるものである。
【００１４】
以下、本発明の実施の形態について、図面を参照しながら説明する。なお、この実施の形態によって本発明が限定されるものではない。
【００１５】
（実施の形態１）
本発明の第１の実施の形態における電気掃除機用延長管について、図１〜図７を用いて説明する。
【００１６】
図１は、本実施の形態における電気掃除機用延長管の使用状態の側面図である。図２は、同電気掃除機用延長管の側面図である。図３は、同電気掃除機用延長管の長さ方向中央断面図である。さらに図４および図５は、本発明の電気掃除機用延長管の特徴となる部位を示す外観斜視図である。
【００１７】
電気掃除機用延長管１は、ホ−ス２の先端パイプ３に接続される外管５と外管５内を摺動し、伸縮自在に構成され、床ノズル４等と接続される内管６とで構成されており、外管５の先端パイプ３側の一端には、嵌合部７が設けられ、内管６の外管５側と反対側の端部には床ノズル４の床ノズルパイプ４ａと結合するための接続体８が設けられている。接続体８には軸回動する引っ掛け爪構造（図示せず）で床ノズルパイプ４ａに引っ掛け嵌合させ、電気掃除機用延長管１と床ノズル４を接続し、固定している。ホ−ス２の先端パイプ３に対しても同等構造が形成されて、接続固定している。
【００１８】
外管５と内管６は、ばね５３によって付勢された調整機構である押しボタン５０の爪部５１を内管６の外周で下面側に複数個形成した凹部１８ａを有し、内部にリード線Ｂ１４を収納するカバー体Ｂ１８に圧接することによって摺動位置を固定し、電気掃除機用延長管１を任意の長さに調整し、伸縮自在としている。前記外管５の先端パイプ３側の端部に設けられている接続端子Ａ９は先端パイプ３に内蔵する接続端子（図示せず）に接続し給電される。接続端子Ａ９からリード線Ａ１０、コネクターＡ１１で接続されるＵ字状に屈曲して内管６の伸縮に追従するフラットケーブル１２、さらにカバー体Ｂ１８の外管５側端部に保持固定されるコネクターＢ１３でリード線Ｂ１４に接続され、基板収納部２０に収納保持される発光素子であるＬＥＤ１６を実装する表示基板１５に電気的に接続している。前記リード線Ａ１０、コネクターＡ１１で接続されるＵ字状に屈曲して内管６の伸縮に追従するフラットケーブル１２は外管５の外周に固定されているカバー体Ａ１７で外管５の外周面に収納されている。表示基板１５は、先端パイプ３側から給電される電気信号によって、電気掃除機本体７０が吸引する塵埃の有り無し、あるいは吸引する塵埃量の多少を発光素子１６で発光、消灯、点滅させるものである。あるいは、電気掃除機本体７０の集塵室に蓄積した塵埃量や運転の異常状態を表現して表示することも可能である。
【００１９】
また、塵埃の有り無し、あるいは吸引する塵埃量の多少を測定するために、例えば図７に示すように、ホース２において電気掃除機本体７０と接続される側の端部近傍に、ゴミセンサ７１が設けられている。
【００２０】
尚、上記ゴミセンサ７１について、その構成をもう少し詳細に説明する。７２は塵埃が流れる空気通路内に光を放つ発光部、７３は発光部７２からの光を受光し受光量に応じた信号を出力する受光部で塵埃が通過する空気通路内に発光部７２と対向して設けられている。受光部からの出力Ｖｓは増幅手段Ａと増幅手段Ｂでそれぞれ増幅される。増幅手段Ａは、増幅部Ａと、オペアンプやＤＳＰなどの高速演算処理ＣＰＵなどで構成されるフィルター部Ａで構成され、Ｖｓを特定の周波数帯Ａを中心に増幅した信号Ｖａを出力し、これをパルス変換手段Ａでパルスに変換しその出力Ｓａを塵埃量や塵埃の種類を判別する塵埃判別手段に入力する。
【００２１】
増幅手段Ｂも同様に、増幅部Ｂと、オペアンプやＤＳＰなどの高速演算処理ＣＰＵなどから成るフィルター部Ｂで構成され、Ｖｓを特定の周波数帯Ｂを中心に増幅した信号Ｖｂを出力し、これをパルス変換手段Ｂがパルスに変換し、その出力Ｓｂが前記塵埃判別手段に入力される。前記塵埃判別手段は、このＳａとＳｂの２つの信号入力によって、吸引される塵埃の大きさと量を判断するように設けられている。
【００２２】
また、７４は前記塵埃判別手段の出力信号の変化に対応して使用者に塵埃の有無、大きさ等を知らせるための表示部である。そしてゴミセンサ７１は、上記発光部７２、受光部７３、表示部７４、塵埃判別手段等で構成されるものである。
【００２３】
外管５および内管６は電気掃除機本体７０に接続して使用する際には、前記電気掃除機本体７０の吸引する吸気風によって塵埃を搬送するための通路であり、使用者への肉体負荷軽減のための軽量化および小型径小化を図るためにも、ある程度の強度を有する薄肉の押し出しアルミ管材や、ブロー成形や射出成形の樹脂管で形成している。また、先端パイプ３との嵌合部７および床ノズルパイプ４ａとの接続体８は嵌合のがたつきをなくし、保持しあう強度が必要であるため、厚肉にして形成している。図５に示すように、接続体８の内管６側の端部は中空円板状の壁部７５を有し、接続体８の外径ΦＤから内管６の外径Φｄに段差を形成しており、前記の段差部に略透明の樹脂等からなるレンズ体（表示部）１９を略リング状に有している。前記レンズ体１９は、下面側の基板収納部２０を除いて内管６の外周に沿って配設されている。レンズ体１９の外周側角面は図２および図３に図示するように傾斜を形成している。
【００２４】
図６に示す表示基板１５のＬＥＤ１６は、内管６の外周に沿う略馬蹄形のレンズ体１９の端面２１に対向して配置している。
【００２５】
上記構成による作用は以下のとおりである。前記ＬＥＤ１６が発光すると、レンズ体１９の端面２１から入光して、レンズ体１９の内部を進みながら、レンズ体１９内部の外周面に当った光は反射し、外管５側のレンズ体１９の露出面へも光が出てくることになり、ホース２の先端パイプ３を握って操作している使用者から視認できるものである。表示基板１５の表示状態（例えば、点灯、消灯、点滅）によって、電気掃除機本体７０が吸引している塵埃量の多少を表示し、吸引している塵埃がなければ掃除操作が不要であることを使用者に認識させて家事労力の削減を図ることができることになるものである。
【００２６】
さらに、レンズ体１９の表示面は内管６の外径に向かい傾斜して外径が細くなるように形成しているため、ベッドやソファー等の下で床面からの隙間が小さいところの掃除をしようと床ノズルを差し込む場合に、レンズ体１９が形成する表示部がベッドやソファー等の下角に当ることがなく、また、引き抜くときにはレンズ体１９には傾斜面を設けているため引っかかりにくく、狭い隙間も操作がしやすい。
【００２７】
レンズ体１９は略透明の樹脂等の成形で形成しており、材料に微粒子の拡散材を投入したり、またはレンズ体１９の表示面と反対面側にシボ加工を施すことによって、光の乱反射を起こし易くさせ、表示面から放出する光量を増すことが可能である。また、レンズ体１９の表示面と反対面側に印刷等によって着色、あるいは着色物を配置することによって表示面の表示色を変えることが可能となる。
【産業上の利用可能性】
【００２８】
以上のように、本発明にかかる電気掃除機用延長管およびこれを用いた電気掃除機は、表示の視認性を良好にするとともに、表示部の掃除中の家具などへの引っ掛かりをなくすことができ、使い勝手の良いものとすることができる。
【図面の簡単な説明】
【００２９】
【図１】本発明の実施の形態１における電気掃除機用延長管の使用状態の側面図
【図２】同、電気掃除機用延長管の側面図
【図３】同、電気掃除機用延長管の長さ方向中央断面図
【図４】同、電気掃除機用延長管の特徴となる部位を示す外観斜視図
【図５】同、電気掃除機用延長管の特徴となる部位を示す外観斜視図
【図６】同、電気掃除機用延長管を示す図２の側面図において、Ａ−Ａで表される面で切断した状態を示す要部断面図
【図７】同、電気掃除機用延長管と接続されるホースの一端近傍に設けられたゴミセンサまわりを示す断面図
【符号の説明】
【００３０】
１    電気掃除機用延長管
５    外管（筒体）
６    内管（筒体）
８    接続体
１５  表示基板（電子回路基板）
１６  発光素子
１９  レンズ体（表示部）
７０  電気掃除機本体
７５  中空円板状の壁部
【図１】
2010172643.tif 000003
【図２】
2010172643.tif 000004
【図３】
2010172643.tif 000005
【図４】
2010172643.tif 000006
【図５】
2010172643.tif 000007
【図６】
2010172643.tif 000008
【図７】
2010172643.tif 000009